Podtech/llm-jp-corpus-v4-ja_patent huggingface dataset:
【手続補正書】
【提出日】平成27年12月17日(2015.12.17)
【手続補正１】
【補正対象書類名】特許請求の範囲
【補正対象項目名】全文
【補正方法】変更
【補正の内容】
【特許請求の範囲】
【請求項１】
−  熱伝導性材料の一次熱層と、
−  複数の発光ダイオードアセンブリと、
−  少なくとも２つの異なる発光ダイオードアセンブリの電極間に電気的に結合される複数のワイヤと、
を含む照明アセンブリであって、
前記発光ダイオードアセンブリは、
−  熱伝導性且つ電気絶縁性セラミックのサブマウントであって、前記一次熱層に熱的に結合される第１の面と、前記第１の面とは反対側の第２の面とを有するサブマウントと、
−  前記サブマウントの前記第２の面に配置される第１及び第２の金属電極と、
−  発光ダイオードのアノードを前記第１の金属電極に、及び前記発光ダイオードのカソードを前記第２の金属電極に電気的及び熱的に結合させた発光ダイオードダイと、
−  熱伝導性且つ電気絶縁性であり、前記一次熱層に熱的に結合された二次熱材料であって、前記複数のワイヤのサブセットを封入する為に、前記複数のサブマウントのサブセット間及び前記複数の発光ダイオードダイのサブセット間に配置され、前記発光ダイオードダイの上面によって形成される仮想面を越えて延在せず、前記発光ダイオードダイを含むキャビティの壁を形成する、二次熱材料と、
を含む、照明アセンブリ。
【請求項２】
前記ワイヤがある面に配置され、前記面は、前記一次熱層と交差しない、請求項１に記載の照明アセンブリ。
【請求項３】
前記キャビティは、光学層が設けられた光出射窓を有する、請求項１に記載の照明アセンブリ。
【請求項４】
前記光学層は、発光材料を含む、請求項３に記載の照明アセンブリ。
【請求項５】
前記キャビティは、前記キャビティの前記壁に衝突する光を反射する、請求項１に記載の照明アセンブリ。
【請求項６】
前記二次熱材料は、熱伝導性の電気絶縁性粒子で充填されたシリコーンを含む、請求項１に記載の照明アセンブリ。
【請求項７】
前記熱伝導性の電気絶縁性粒子は、窒化ホウ素、六方晶窒化ホウ素、Ａｌ２Ｏ３、ＺｎＯ、及びＴｉＯ２粒子の少なくとも１つを含む、請求項６に記載の照明アセンブリ。
【請求項８】
前記一次熱層は銅を含む、及び／又は、前記電極は銅を含む、請求項１に記載の照明アセンブリ。
【請求項９】
前記一次熱層は可撓性がある、請求項１に記載の照明アセンブリ。
【請求項１０】
前記一次熱層が７０マイクロメートルを超える厚さである、請求項１に記載の照明アセンブリ。
【請求項１１】
前記発光ダイオードダイが、前記発光ダイオードダイの一面上に前記アノード及び前記カソードを有し、前記面が前記電極に向けて配置されているフリップチップ発光ダイオードダイである、請求項１に記載の照明アセンブリ。
【請求項１２】
前記サブマウントが、酸化アルミニウム又は窒化アルミニウムを含む、請求項１に記載の照明アセンブリ。
【請求項１３】
請求項１に記載の照明アセンブリを含む、光源。
【請求項１４】
前記照明アセンブリが光透過性チューブ内に配置される、請求項１３に記載の光源。
【請求項１５】
請求項１に記載の照明アセンブリを含む、又は請求項１３若しくは１４に記載の光源を含む、照明器具。
【手続補正書】
【提出日】平成28年1月18日(2016.1.18)
【手続補正１】
【補正対象書類名】特許請求の範囲
【補正対象項目名】全文
【補正方法】変更
【補正の内容】
【特許請求の範囲】
【請求項１】
少なくとも１つの発光ダイオードを冷却する熱伝達装置であって、
前記少なくとも１つの発光ダイオードを取り付けて、発光する際に、前記少なくとも１つの発光ダイオードから生成された熱を受け取るのに適した中心部と、
ハウジング内に挿入されるのに適した複数の細長い熱伝達要素であって、それぞれ、前記中心部に接続される第１の端部と、生成された熱が前記ハウジングに熱的に伝達されるように、前記ハウジングの内面に当接するのに適した第２の端部とを有する前記複数の細長い熱伝達要素と、
を含み、
前記複数の細長い熱伝達要素の前記第２の端部は、前記ハウジングの前記内面の断面積よりも大きい幾何学領域を形成し、前記複数の細長い熱伝達要素が前記ハウジングの前記内面に対し曲げられるのに適していて、
前記複数の細長い熱伝達要素の前記第２の端部は、前記複数の細長い熱伝達要素の残りの部分よりも低い摩擦係数を有するサーマルインターフェース材料
を含む、熱伝達装置。
【請求項２】
前記サーマルインターフェース材料は、グラファイト、コンフォーマブルサーマルパッド、プラスチック薄膜のうちの少なくとも１つを含む、請求項１に記載の熱伝達装置。
【請求項３】
前記複数の細長い熱伝達要素の前記第１の端部と前記熱伝達装置の前記中心部との間の界面に、第２のサーマルインターフェース材料が設けられている、請求項１又は２に記載の熱伝達装置。
【請求項４】
前記中心部の領域は、前記少なくとも１つの発光ダイオードを含むＬＥＤモジュールの領域よりも小さく、前記ＬＥＤモジュールは、前記中心部の前記領域に接続されている、請求項１乃至３の何れか一項に記載の熱伝達装置。
【請求項５】
前記複数の細長い熱伝達要素のうちの少なくとも１つは、前記第２の端部から前記中心部に向かう方向に延在する細長い凹部を含む、請求項１乃至４の何れか一項に記載の熱伝達装置。
【請求項６】
前記複数の細長い熱伝達要素は、熱伝導性材料を有するブラシによって形成される、請求項１乃至４の何れか一項に記載の熱伝達装置。
【請求項７】
少なくとも１つの発光ダイオードと、
請求項１乃至６の何れか一項に記載の熱伝達装置と、
前記熱伝達装置を受け入れるハウジングと、
を含む、照明アセンブリ。
【請求項８】
前記少なくとも１つの発光ダイオードによって放射された光を受け取り、所定の形に従って光ビームを提供する成形要素を更に含む、請求項７に記載の照明アセンブリ。
【請求項９】
前記成形要素は、リフレクタ、コリメータ又はレンズのうちの少なくとも１つである、請求項８に記載の照明アセンブリ。
【請求項１０】
前記熱伝達装置の上に配置される圧力ディスクを更に含む、請求項７乃至９の何れか一項に記載の照明アセンブリ。
【請求項１１】
圧縮可能な圧力要素を更に含み、前記熱伝達装置は、前記ハウジングと前記圧縮可能な圧縮要素との間に配置される、請求項７乃至１０の何れか一項に記載の照明アセンブリ。
【請求項１２】
前記照明アセンブリ内に光学的に置かれ、前記少なくとも１つの発光ダイオードによって生成される熱を前記照明アセンブリの光学的な方向に散逸するヒートシンク面を更に含む、請求項７乃至１１の何れか一項に記載の照明アセンブリ。
【請求項１３】
前記ヒートシンク面の円周距離は、前記細長い熱伝達要素の前記第２の端部によって規定される円周距離よりも短く、前記第２の端部は、前記ヒートシンク面の縁の周りに少なくとも部分的に曲げられる又は折り返されるのに適する、請求項１２に記載の照明アセンブリ。
【手続補正書】
【提出日】平成28年1月16日(2016.1.16)
【手続補正１】
【補正対象書類名】特許請求の範囲
【補正対象項目名】全文
【補正方法】変更
【補正の内容】
【特許請求の範囲】
【請求項１】
ビットストリームから動画データを復号する方法であって、
前記ビットストリームに含まれ、上位正方レイヤおよび下位正方レイヤを有する変換ユニットであって、前記上位正方レイヤは、下位正方レイヤの非重複領域のための有意係数グループフラグの正方配列を表している変換ユニットを受信するステップと、
イントラ予測モードに従って、前記上位正方レイヤおよび下位正方レイヤのスキャンパターンを決定するステップと、
前記決定したスキャンパターンを使用して、前記受信した変換ユニットに対する前記上位正方レイヤの前記有意係数グループフラグを決定するステップと、
前記決定した有意係数グループフラグを使用して、前記下位正方レイヤの残差係数の値を決定することにより、動画データを復号するステップと、を有し、
前記イントラ予測モードに従って決定された上位正方レイヤおよび下位正方レイヤのスキャンパターンは同じである、ことを特徴とする復号方法。
【請求項２】
請求項１において、前記有意係数グループフラグは、下位正方レイヤの対応する非重複領域に有意係数が存在することを示す少なくとも１つの有意係数フラグの存在を示すフラグであることを特徴とする復号方法。
【請求項３】
ビットストリームから動画データを復号する方法を実行するためのプログラムであって、前記方法は、
前記ビットストリームに含まれ、上位正方レイヤおよび下位正方レイヤを有する変換ユニットであって、前記上位正方レイヤは、下位正方レイヤの非重複領域のための有意係数グループフラグの正方配列を表している変換ユニットを受信するステップと、
イントラ予測モードに従って、前記上位正方レイヤおよび下位正方レイヤのスキャンパターンを決定するステップと、
前記決定したスキャンパターンを使用して、前記受信した変換ユニットに対する前記上位正方レイヤの前記有意係数グループフラグを決定するステップと、
前記決定した有意係数グループフラグを使用して、前記下位正方レイヤの残差係数の値を決定することにより、動画データを復号するステップと、を有し、
前記イントラ予測モードに従って決定された上位正方レイヤおよび下位正方レイヤのスキャンパターンは同じである、ことを特徴とするプログラム。
【請求項４】
前記有意係数グループフラグは、下位正方レイヤの対応する非重複領域に有意係数が存在することを示す少なくとも１つの有意係数フラグの存在を示すフラグであることを特徴とするプログラム。
【請求項５】
動画データのビットストリームに含まれ、上位正方レイヤおよび下位正方レイヤを有する変換ユニットであって、前記上位正方レイヤは前記下位正方レイヤの非重複領域のための有意係数グループフラグの正方配列を表わしている変換ユニットを受信する手段と、
イントラ予測モードに従って、前記上位正方レイヤおよび下位正方レイヤのスキャンパターンを決定する手段と、
前記決定したスキャンパターンを使用して、前記受信した変換ユニットに対する前記上位正方レイヤの前記有意係数グループフラグを決定する手段と、
前記決定した有意係数グループフラグを使用して、前記下位正方レイヤの残差係数の値を決定することにより、動画データを復号する手段とを備えることを特徴とする復号装置。
【請求項６】
前記有意係数グループフラグは、下位正方レイヤの対応する非重複領域に有意係数が存在することを示す少なくとも１つの有意係数フラグの存在を示すフラグであることを特徴とする復号装置。
【手続補正２】
【補正対象書類名】明細書
【補正対象項目名】発明の名称
【補正方法】変更
【補正の内容】
【発明の名称】動画データを復号する方法、プログラム、装置
【手続補正３】
【補正対象書類名】明細書
【補正対象項目名】００２１
【補正方法】削除
【補正の内容】
【手続補正４】
【補正対象書類名】明細書
【補正対象項目名】００２２
【補正方法】削除
【補正の内容】
【手続補正５】
【補正対象書類名】明細書
【補正対象項目名】００２３
【補正方法】削除
【補正の内容】
【手続補正６】
【補正対象書類名】明細書
【補正対象項目名】００２４
【補正方法】削除
【補正の内容】
【手続補正７】
【補正対象書類名】明細書
【補正対象項目名】００２５
【補正方法】削除
【補正の内容】
【手続補正８】
【補正対象書類名】明細書
【補正対象項目名】００２６
【補正方法】削除
【補正の内容】
【手続補正９】
【補正対象書類名】明細書
【補正対象項目名】００２７
【補正方法】削除
【補正の内容】
【手続補正１０】
【補正対象書類名】明細書
【補正対象項目名】００２８
【補正方法】削除
【補正の内容】
【手続補正１１】
【補正対象書類名】明細書
【補正対象項目名】００２９
【補正方法】削除
【補正の内容】
【手続補正１２】
【補正対象書類名】明細書
【補正対象項目名】００３０
【補正方法】変更
【補正の内容】
【００３０】
本開示の一態様では、動画データを復号する方法を提供する。本方法は、
前記ビットストリームに含まれ、上位正方レイヤおよび下位正方レイヤを有する変換ユニットであって、前記上位正方レイヤは、下位正方レイヤの非重複領域のための有意係数グループフラグの正方配列を表している変換ユニットを受信するステップと、
イントラ予測モードに従って、前記上位正方レイヤおよび下位正方レイヤのスキャンパターンを決定するステップと、
前記決定したスキャンパターンを使用して、前記受信した変換ユニットに対する前記上位正方レイヤの前記有意係数グループフラグを決定するステップと、
前記決定した有意係数グループフラグを使用して、前記下位正方レイヤの残差係数の値を決定することにより、動画データを復号するステップと、を有し、
前記イントラ予測モードに従って決定された上位正方レイヤおよび下位正方レイヤのスキャンパターンは同じである、ことを特徴とする復号方法である。
【手続補正書】
【提出日】平成28年1月12日(2016.1.12)
【手続補正１】
【補正対象書類名】特許請求の範囲
【補正対象項目名】全文
【補正方法】変更
【補正の内容】
【特許請求の範囲】
【請求項１】
半導体集積回路の入力／出力（Ｉ／Ｏ）パッドを静電放電（ＥＳＤ）事象から保護するためのデバイスであって、
前記Ｉ／Ｏパッドに結びつけられ、放電ＥＳＤ電流に適切な第１のドレイン拡張されたＭＯＳトランジスタを含む共通ソース段であって、前記第１のトランジスタが第１の厚みのゲート酸化物を有する、前記共通ソース段と、
トリガにより前記Ｉ／Ｏパッドに結びつけられ、且つ、前記共通ソース段に接続されるソースフォロワ段と、
を含み、
前記ソースフォロワ段が、第２の厚みのゲート酸化物を有する第２のドレイン拡張されたＭＯＳトランジスタを含み、
前記第２の厚みが、前記第１の厚みより少なくとも前記ソースフォロワ閾値電圧を扱うために必要とされる量だけ大きい、デバイス。
【請求項２】
請求項１に記載のデバイスであって、
前記第１の酸化物厚みが２．０から８．５ｎｍまでの範囲である、デバイス。
【請求項３】
請求項１に記載のデバイスであって、
前記第２の酸化物厚みが４．０から２０．０ｎｍまでの範囲である、デバイス。
【請求項４】
請求項１に記載のデバイスであって、
前記トリガがＲＣトリガである、デバイス。
【請求項５】
請求項１に記載のデバイスであって、
前記トリガが電圧／レベルトリガである、デバイス。
【請求項６】
請求項１に記載のデバイスであって、
前記第１及び第２のトランジスタがｎＭＯＳトランジスタである、デバイス。
【請求項７】
請求項１に記載のデバイスであって、
前記第１及び第２のトランジスタがｐＭＯＳトランジスタである、デバイス。
【請求項８】
半導体集積回路の入力／出力（Ｉ／Ｏ）パッドを静電放電事象から保護するためのデバイスであって、
第１の厚みのゲート酸化物を有する第１のＭＯＳトランジスタと、
前記第１の厚みの少なくとも２倍厚い第２の厚みのゲート酸化物を有する第２のＭＯＳトランジスタと、
を含み、
前記第１のトランジスタが、前記Ｉ／Ｏパッドに結びつけられるドレインを有し、そのソースが接地に結びつけられ、そのゲートが、前記第２のトランジスタのソースに結びつけられ、且つ、接地に抵抗性接続され、
前記第２のトランジスタが、前記Ｉ／Ｏパッドに結びつけられるドレインを有し、そのゲートが、前記Ｉ／Ｏパッドに接続されるキャパシタと、接地に接続される抵抗器とに結びつけられる、デバイス。
【請求項９】
請求項８に記載のデバイスであって、
接地と、前記第２のトランジスタのソースに結びつけられる前記第１のトランジスタのゲートとの間の第１の抵抗器を更に含む、デバイス。
【請求項１０】
請求項９に記載のデバイスであって、
接地と、前記キャパシタに結びつけられる前記第２のトランジスタのゲートとの間の第２の抵抗器を更に含む、デバイス。
【請求項１１】
請求項８に記載のデバイスであって、
前記第１及び第２のトランジスタがｎＭＯＳトランジスタである、デバイス。
【請求項１２】
請求項８に記載のデバイスであって、
前記第１及び第２のトランジスタがｐＭＯＳトランジスタである、デバイス。
【請求項１３】
請求項８に記載のデバイスであって、
前記第１の酸化物厚みが２．０から８．５ｎｍまでの範囲である、デバイス。
【請求項１４】
請求項８に記載のデバイスであって、
前記第２の酸化物厚みが４．０から２０．０ｎｍまでの範囲である、デバイス。
【手続補正書】
【提出日】平成27年12月1日(2015.12.1)
【手続補正１】
【補正対象書類名】特許請求の範囲
【補正対象項目名】全文
【補正方法】変更
【補正の内容】
【特許請求の範囲】
【請求項１】
反射コリメータであって、ＬＥＤライトを収容するための、且つ前記ＬＥＤライトからの入射光が前記反射コリメータに入射できるようにするための第１のアパーチャと、出射光が前記反射コリメータを出られるようにするための第２のアパーチャと、前記第１のアパーチャから前記第２のアパーチャに延びる、且つ前記第１のアパーチャからの前記入射光を前記第２のアパーチャの方へ案内するための内側反射面を有する壁要素とを有する反射コリメータと、
前記入射光を屈折させるための、前記第１のアパーチャと前記第２のアパーチャとの間に、前記第１のアパーチャから離れて配置された第１の凸レンズと、
前記出射光をコリメートするように前記出射光を屈折させるための、前記第２のアパーチャに配置された第２の凸レンズと、
を含む発光ダイオード（ＬＥＤ）ライト用のコリメート光学系。
【請求項２】
前記第１及び前記第２の凸レンズは、フレネルレンズであり、それぞれは、複数のファセットを有する、請求項１に記載のコリメート光学系。
【請求項３】
前記第１の凸レンズ及び前記第２の凸レンズにおける前記ファセットの数は異なる、請求項２に記載のコリメート光学系。
【請求項４】
前記第１の凸レンズ及び／又は前記第２の凸レンズの前記ファセットの数は、３、４又は５である、請求項３に記載のコリメート光学系。
【請求項５】
前記第２のアパーチャの少なくとも一部をカバーする表面プレートを更に含み、前記第２の凸レンズは、前記表面プレートに配置される、請求項１に記載のコリメート光学系。
【請求項６】
前記第２の凸レンズは、前記表面プレートの凹部に配置される、請求項５に記載のコリメート光学系。
【請求項７】
前記第２の凸レンズは、前記表面プレートの外面に配置される、請求項５に記載のコリメート光学系。
【請求項８】
前記第１の凸レンズの光学軸及び前記第２の凸レンズの光学軸は、前記反射コリメータの光学軸と整列され、前記反射コリメータの光学軸は、前記第１のアパーチャから前記第２のアパーチャの方へ延びる、請求項１に記載のコリメート光学系。
【請求項９】
前記壁要素は、前記第１のアパーチャを含む第１の部分及び前記第２のアパーチャを含む第２の部分を含み、前記壁要素の前記第１の部分は、前記入射光を前記第２の凸レンズから離れるように案内するために、前記第１の部分に入射する入射光を分散するように配置され、前記壁要素の前記第２の部分は、前記入射光をコリメートするように配置される、請求項１に記載のコリメート光学系。
【請求項１０】
少なくとも１つの請求項１に記載のコリメート光学系と、
前記少なくとも１つのコリメート光学系の１つにおける前記第１のアパーチャを通して光を放射するように配置された少なくとも１つの発光ダイオード（ＬＥＤ）と、
を含む照明器具。
【請求項１１】
前記少なくとも１つのＬＥＤの各ＬＥＤは、対応するコリメート光学系を有し、各ＬＥＤは、自身の対応するコリメート光学系の前記第１のアパーチャを通して光を放射するように配置される、請求項１０に記載の照明器具。
【請求項１２】
共通のコリメート光学系の前記第１のアパーチャを通して光を放射するように配置された少なくとも２つのＬＥＤを含む、請求項１０に記載の照明器具。
【請求項１３】
請求項１に記載のコリメート光学系のパラメータを決定する方法であって、
前記パラメータは、前記第１及び前記第２の凸レンズの形状に、且つ前記反射コリメータの前記壁要素の形状に関係付けられ、前記方法は、
前記コリメート光学系の理論モデルに基づいて、前記パラメータの開始値を決定することと、
前記決定された開始値を初期値として使用し、前記コリメート光学系の前記パラメータに関してメリット関数を最適化することであって、前記メリット関数が、所望の全幅半値ＦＷＨＭに関係する第１の目的関数、ビーム角度、及び前記コリメート光学系からの光ビーム出力の中心における最大の光強度に関係する第２の目的関数を含むことと、
を含む方法。
【請求項１４】
前記メリット関数は、所望のビームプロファイルに関係する第３の目的関数を更に含む、請求項１３に記載の方法。
【請求項１５】
前記壁要素の前記形状は、対応するベジェパラメータセットを有するベジェ曲線セットによってモデル化され、前記コリメート光学系の前記パラメータは、前記第１の凸レンズの曲率半径、前記第２の凸レンズの曲率半径、及び前記ベジェパラメータセットを含む請求項１３に記載の方法。
【手続補正書】
【提出日】平成27年12月21日(2015.12.21)
【手続補正１】
【補正対象書類名】特許請求の範囲
【補正対象項目名】全文
【補正方法】変更
【補正の内容】
【特許請求の範囲】
【請求項１】
コンピューティング環境において、アプリリストに、強制終了されたアプリケーションを維持する方法であって、前記コンピューティング環境は、１又は複数のプロセッサと、コンピュータ読取可能メモリと、入力及び出力コンポーネントと、ユーザにとって利用可能なアプリケーションの表現を提供するユーザインタフェース（ＵＩ）と、アプリケーションのロード、起動、実行を管理するオペレーティングシステムとを含み、当該方法は、
アプリリスト内の１組のアプリケーションのリストを更新するステップであり、前記アプリケーションは前記コンピューティング環境においてユーザにとって利用可能である、ステップと、
前記アプリケーションのうち１つが、実行している状態から強制終了された状態に遷移するとき、前記の強制終了されたアプリケーションを前記アプリリストに維持するステップと、
前記アプリリストから前記の強制終了されたアプリケーションを選択するコマンドを示すユーザからの信号に基づいて、前記の強制終了されたアプリケーションに関連付けられる一時的なＵＩ画面を作成するステップと、
前記ＵＩの少なくとも一部分に前記一時的なＵＩ画面を提示するステップであり、前記一時的なＵＩ画面は前記ＵＩ上で前記ユーザによってドラッグされることができる、ステップと、
前記コンピューティング環境からのコミット信号に基づいて、前記一時的なＵＩ画面を、以前に実行していた前記アプリケーションに関連付けられる通常のＵＩ画面で置換するステップと、
を含む、方法。
【請求項２】
前記アプリリストは、最も直近に使用されたアプリケーションのグループのリストを含み、前記グループは、現在動作しているアプリケーションと強制終了されたアプリケーションとを含む、請求項１に記載の方法。
【請求項３】
前記ユーザからの前記信号はグループの１つを含み、該グループは、タッチセンサ式画面上のジェスチャ、マウスジェスチャ、キーボードジェスチャ、ボイスアクティベーション信号、アイトラッキング信号を含む、請求項１又は請求項２に記載の方法。
【請求項４】
前記の強制終了されたアプリケーションに関連付けられる前記一時的なＵＩ画面は、実行しているときに前記アプリケーションに関連付けられるＵＩ画面より少ないグラフィックのコンテンツを含む画面を含む、請求項１乃至３のうちいずれか１項に記載の方法。
【請求項５】
前記の強制終了されたアプリケーションに関連付けられる前記一時的なＵＩ画面は、実行しているときに前記アプリケーションに関連付けられるＵＩ画面より少ない機能性を含む画面を含む、請求項１乃至４のうちいずれか１項に記載の方法。
【請求項６】
ユーザのためのコンピューティング環境であって、当該コンピューティング環境はさらに、
プロセッサと、
前記プロセッサにより実行可能であるアプリケーションを記憶することができるコンピュータ読取可能メモリと、
入力及び出力コンポーネントと、
前記ユーザからの入力コマンドに応答する複数のアプリケーションと、
前記ユーザにビジュアル情報を提示するグラフィカルユーザインタフェース（ＧＵＩ）と、
前記アプリケーションの実行と他の起こり得る状態との管理のためのオペレーティングシステムと、
を含み、
前記オペレーティングシステムは、さらに、
前記ユーザから入力信号を受け入れて、直近に使用され、かつ現在は強制終了された状態であるアプリケーションに切り替えることができるスイッチャコンポーネントと、
当該コンピューティング環境によって直近に使用されたアプリケーションのリストを含むバックスタックコンポーネントと、
前記バックスタックコンポーネント内の強制終了されたアプリケーションを再起動するコマンドを示す意図的なジェスチャを前記ユーザが与えた、前記強制終了されたアプリケーションについて、前記ＧＵＩ上にレンダリング可能な一時的なＵＩ画面を作成することができるスプラッシュ画面コンポーネントであり、さらに、前記一時的なＵＩ画面は、再起動の前に、前記ＧＵＩ上で前記ユーザによって移動されることができる、スプラッシュ画面コンポーネントと、
を含む、コンピューティング環境。
【請求項７】
当該コンピューティング環境は、タッチセンサ式ディスプレイ画面をさらに含み、前記ユーザは、前記タッチセンサ式ディスプレイ画面上に、前記強制終了されたアプリケーションを再起動するコマンドを示すスワイプするジェスチャを与えることができる、請求項６に記載のコンピューティング環境。
【請求項８】
前記スワイプするジェスチャは、タッチするジェスチャをさらに含み、したがって、前記タッチするジェスチャの終了条件が、当該コンピューティング環境に、前記強制終了されたアプリケーションを再起動するコミット信号を示す、請求項７に記載のコンピューティング環境。
【請求項９】
前記一時的なＵＩ画面は、実行しているときに前記アプリケーションに関連付けられるＵＩ画面より少ないグラフィックのコンテンツを含む画面を含む、請求項６乃至８のうちいずれか１項に記載のコンピューティング環境。
【請求項１０】
前記強制終了されたアプリケーションに関連付けられる前記一時的なＵＩ画面は、実行しているときに前記アプリケーションに関連付けられるＵＩ画面より少ない機能性を含む画面を含む、請求項６乃至９のうちいずれか１項に記載のコンピューティング環境。
【手続補正書】
【提出日】平成27年12月8日(2015.12.8)
【手続補正１】
【補正対象書類名】特許請求の範囲
【補正対象項目名】全文
【補正方法】変更
【補正の内容】
【特許請求の範囲】
【請求項１】
入射光を少なくとも１つの動作モードにおいて変換する少なくとも１つの発光デバイスであって、少なくとも１つのナノ構造層と、少なくとも１つの発光部材とを有し、前記ナノ構造層と前記発光部材との間の距離は、７００ｎｍより小さい発光デバイスと、
光を全内部反射により太陽電池に向かう方向に導く少なくとも１つの導光器と、
を有する、発光性太陽集光器。
【請求項２】
前記ナノ構造層がプラズモン・ナノアンテナの少なくとも１つのアレイを有する、請求項１に記載の発光性太陽集光器。
【請求項３】
前記ナノ構造層が共鳴散乱器の少なくとも１つのアレイを有する、請求項１に記載の発光性太陽集光器。
【請求項４】
前記発光デバイスの前記ナノ構造層が周期性を持つアレイを有し、前記周期性は、少なくとも１つの動作モードにおいて前記導光器の全内部反射のための臨界角αcritより大きな放射角βmaxでの電磁波の最大放射を提供するように選択される、請求項１ないし３の何れか一項に記載の発光性太陽集光器。
【請求項５】
少なくとも１つの動作モードにおいて、前記ナノ構造層の電磁波の放射スペクトルの下限波長が、前記発光部材の電磁波の吸収スペクトルの上限波長より大きく、前記下限波長は、前記放射スペクトルの最大強度の１０％の放射強度を持つ、前記最大強度が生じる波長より小さい前記放射スペクトルの最初の波長として定義され、前記上限波長は、最大吸収度の１０％の吸収度を持つ、前記最大吸収度が生じる波長より大きな前記吸収スペクトルの最初の波長として定義される、請求項１ないし４の何れか一項に記載の発光性太陽集光器。
【請求項６】
前記ナノ構造層が少なくとも１つの方向に周期構造を有する、請求項１ないし５の何れか一項に記載の発光性太陽集光器。
【請求項７】
前記発光デバイスの前記ナノ構造層がヘテロ構造半導体ナノワイヤの少なくとも１つのアレイを有する、請求項１ないし６の何れか一項に記載の発光性太陽集光器。
【請求項８】
前記ヘテロ構造半導体ナノワイヤの各々が、１００ｎｍ未満の直径の上部と、３００ｎｍ未満の低部直径を持つ先細りの下部とを有する、請求項７に記載の発光性太陽集光器。
【請求項９】
前記ナノ構造層が少なくとも１つの方向において実質的に５００ｎｍの周期ピッチを有する、請求項７又は請求項８に記載の発光性太陽集光器。
【請求項１０】
少なくとも１つの請求項１ないし９の何れか一項に記載の発光性太陽集光器と、
該発光性太陽集光器に光学的に結合される少なくとも１つの太陽電池と、
を有する、光電発電機。
【手続補正書】
【提出日】平成28年2月8日(2016.2.8)
【手続補正１】
【補正対象書類名】特許請求の範囲
【補正対象項目名】全文
【補正方法】変更
【補正の内容】
【特許請求の範囲】
【請求項１】
コックピットと、少なくとも一つの前方向きの窓を備える飛行機の車両を制御する方法であって、着陸中に前記車両が滑走路面上を移動するときに、前記車両の操作者は、第一の動作セットの少なくともいくつかを行う準備をしながら前記窓を通して前記滑走路面を視覚的にとらえ、前記方法は、
（ａ）着陸中に滑走路面上を移動している前記車両の地上における減速に関連する、前記車両のすべり防止制御装置から出力されたデータを、第一の装置を用いて電子的に処理することと、
（ｂ）前記第一の動作セットが着陸中に滑走路面上を移動している前記車両の地上における有効な減速をもたらさないであろうことを前記操作者に警告するように、処理された前記情報を、前記コックピット内において、前記操作者の前記窓を通した通常の前方視野内に、第二の装置を用いて電子的に表示することと、
（ｃ）着陸中に滑走路面上を移動している前記車両の地上における有効な減速をもたらすように、前記電子的に表示された情報に基づいて第二の動作セットを遂行することにより前記車両を制御することとを含み、
前記第二の動作セットは、（ｉ）ホイールブレーキを最大限に用いること、（ｉｉ）グラウンドスポイラーを用いること、（ｉｉｉ）逆推力装置を用いること、（ｉｖ）前記車両の補助翼、方向舵、昇降舵、及びスロットルの一つ以上を操作することからなる群から選択された少なくとも一つの動作を含む方法。
【請求項２】
前記処理された情報を電子的に表示する動作が、多数の赤色及び黄色の光源を備えたディスプレイの少なくとも１つの赤色または黄色の光源を照明することを含む請求項１に記載の方法。
【請求項３】
前記処理された情報を電子的に表示する動作が、前記ディスプレイの多数の赤色または黄色の光源を照明することを含む請求項２に記載の方法。
【請求項４】
前記処理された情報を電子的に表示する動作が、前記ディスプレイの少なくとも１つの赤色または黄色の光源を点滅させることを含む請求項２に記載の方法。
【請求項５】
前記処理された情報を電子的に表示する動作が、前記ディスプレイの少なくとも１つの赤色の光源及び少なくとも１つの黄色の光源を交互に点滅させることを含む請求項４に記載の方法。
【請求項６】
前記処理された情報を電子的に表示する動作が、飛行機のコックピットのメイングレアシールドの上方に位置づけられたディスプレイを照明することを含む請求項１に記載の方法。
【請求項７】
前記処理された情報に基づいて音声信号を生成することをさらに含む請求項１に記載の方法。
【請求項８】
前記ディスプレイは、前記窓の支柱に取り付けられもしくは組み込まれる請求項１に記載の方法。
【手続補正書】
【提出日】平成27年12月28日(2015.12.28)
【手続補正１】
【補正対象書類名】特許請求の範囲
【補正対象項目名】全文
【補正方法】変更
【補正の内容】
【特許請求の範囲】
【請求項１】
クラウドコンピューティング環境においてリソースを提供するための方法であって、
第１のユーザーから、前記第１のユーザーに対応する第１の仮想マシンプールに関連付けられた仮想マシンの１つまたは複数のスタンバイ確保を求める要求を受信するステップと、
１つまたは複数のプリエンプション可能な仮想マシンを、第２のユーザーに対応する第２の仮想マシンプールに割り当てるステップと、
前記割り当てられたプリエンプション可能な仮想マシンを使用して、前記第２の仮想マシンプールに関する１つまたは複数のタスクを実行するステップと、
前記第１の仮想マシンプールに関する少なくとも１つのスタンバイ確保の変換のための負荷ベースの閾値が満たされたと判定するステップと、
前記第２の仮想マシンプールに関連付けられた入札価格と、プリエンプション可能な仮想マシン上でタスクを実行するための時間の長さのうちの少なくとも１つに基づいて、前記第２の仮想マシンプールに割り当てられた少なくとも１つのプリエンプション可能な仮想マシンをプリエンプションのために選択するステップと、
前記選択された少なくとも１つの仮想マシン上でタスクの実行を停止するステップと、
前記選択された少なくとも１つの仮想マシンを専用の仮想マシンとして前記第１の仮想マシンプールに割り当てるステップと
を備える方法。
【請求項２】
前記第１の仮想マシンプールに関連付けられた仮想マシンのスタンバイ確保の数を追跡するステップをさらに備える請求項１に記載の方法。
【請求項３】
１つまたは複数のスタンバイ確保を求める前記要求は、１つまたは複数の仮想マシンクラスターに対する親和性を有する要求を備える請求項１に記載の方法。
【請求項４】
前記１つまたは複数の仮想マシンクラスターに対する前記親和性は、前記第１の仮想マシンプールに割り当てられた仮想マシン対する接続性に基づく親和性、またはストレージに対する接続性に基づく親和性の少なくとも１つを備える請求項３に記載の方法。
【請求項５】
少なくとも１つのプリエンプション可能な仮想マシンをプリエンプションのために選択するステップは前記１つまたは複数の仮想マシンクラスターから少なくとも１つのプリエンプション可能な仮想マシンを選択するステップを含む請求項３に記載の方法。
【請求項６】
前記負荷ベースの閾値が満たされたと判定するステップに応答して、少なくとも１つのアイドルの仮想マシンを専用の仮想マシンとして前記第１の仮想マシンプールに割り当て、前記少なくとも１つのアイドルの仮想マシンの前記割り当ては、前記少なくとも１つの選択された仮想マシンを割り当てることに先立って行われるステップをさらに備える請求項１に記載の方法。
【請求項７】
前記負荷ベースの閾値は時間ベースの基準を含まない請求項１に記載の方法。
【請求項８】
前記選択された少なくとも１つの仮想マシン上のタスクの実行は、割り当て期間の終わりに先立って停止される方法であって、
前記第１の仮想マシンプールに関する少なくとも１つのタスクを前記選択された少なくとも１つの仮想マシン上で、前記割り当て期間の終わりに先立って開始するステップをさらに備える請求項１に記載の方法。
【請求項９】
前記選択された少なくとも１つの仮想マシンは、第１の仮想マシンクラスターに由来し、さらに前記第１の仮想マシンプールに割り当てられる１つまたは複数のマシンは、前記第１の仮想マシンクラスターとは異なる仮想マシンクラスターに由来する請求項１に記載の方法。
【請求項１０】
請求項１から９のいずれか１項に記載の方法をコンピュータに実行させるためのプログラム。
【手続補正書】
【提出日】平成27年12月21日(2015.12.21)
【手続補正１】
【補正対象書類名】特許請求の範囲
【補正対象項目名】全文
【補正方法】変更
【補正の内容】
【特許請求の範囲】
【請求項１】
使用中に少なくとも２次元の複数の向きに可動であるハウジングと、
前記ハウジング内に配設される熱発生コンポーネントと、
前記ハウジング内に配設される熱伝達装置とを備えており、
前記熱伝達装置は、熱伝導及び相転移を利用して前記熱発生装置から熱を伝達するように構成される複数のヒート・パイプを有しており、前記複数のヒート・パイプは、前記複数の向きを介した前記ハウジングの移動中に前記熱発生コンポーネントから略均一な熱伝達を提供するように配置される、
装置。
【請求項２】
前記複数のヒート・パイプは、略反対の方向に配置される第１及び第２のヒート・パイプを含む、
請求項１に記載の装置。
【請求項３】
前記複数のヒート・パイプは、第１及び第２のヒート・パイプを含み、
第１及び第２のヒート・パイプのそれぞれは、蒸発部及び凝縮部を有し、
第１及び第２のヒート・パイプの前記凝縮部は、前記第１及び第２のヒート・パイプの前記蒸発部よりも互いから遠くに位置付けされる、
請求項１に記載の装置。
【請求項４】
前記ハウジング内に配設された複数のファンをさらに備えており、それによって、前記複数のヒート・パイプの少なくとも２つのヒート・パイプが、それぞれの前記ファンによって冷却される、
請求項１に記載の装置。
【請求項５】
ディスプレイ装置をさらに備えており、前記ハウジングは、前記ディスプレイ装置が、ランドスケープ向きにおいてユーザが視認できる少なくとも１つの向きをとるように構成され、前記複数のヒート・パイプの少なくとも２つのヒート・パイプは、前記ランドスケープ向きにあるときに略水平に配置される、
請求項１に記載の装置。
【請求項６】
前記ハウジングは、使用中に、ユーザの一方又は両方の手によって保持され、前記少なくとも２次元の向きに移動されるように構成される、
請求項１に記載の装置。
【請求項７】
前記ハウジングはモバイル通信装置として使用するために構成される、
請求項６に記載の装置。
【請求項８】
前記複数のヒート・パイプのそれぞれは、単一拡散板の使用を介して前記熱発生装置に熱的に結合される、
請求項１に記載の装置。
【請求項９】
前記熱発生コンポーネントは処理システムであり、装置はコンピュータ装置である、
請求項１に記載の装置。
【請求項１０】
第１及び第２のヒート・パイプを備えており、第１及び第２のヒート・パイプは、熱伝導及び相転移を利用して、第１及び第２のヒート・パイプに近接して配設される熱発生装置から熱を伝達するように構成され、第１及び第２のヒート・パイプは、前記熱発生装置から略反対の方向に配置される、
熱伝達装置。
【手続補正書】
【提出日】平成28年1月13日(2016.1.13)
【手続補正１】
【補正対象書類名】特許請求の範囲
【補正対象項目名】全文
【補正方法】変更
【補正の内容】
【特許請求の範囲】
【請求項１】
1つまたは複数のコンピュータ、および
前記1つまたは複数のコンピュータに結合され、命令を記憶した1つまたは複数のコンピュータ可読記憶媒体であって、前記命令は、前記1つまたは複数のコンピュータによって実行されるとき、前記1つまたは複数のコンピュータに、
検索クエリを受信するステップと、
前記検索クエリに基づいて、検索結果を生成するステップと、
前記検索結果の数がしきい値を超えるとき、複数の範疇の中から前記検索結果の各々に関する範疇を決定するステップと、
前記検索結果に関する前記範疇をスコア付けするステップと、
しきい値スコアを超えるスコアを有する前記範疇のサブセットを識別するステップと、
前記範疇に対応する検索結果を有する前記範疇の前記サブセットの各々を表示する命令とともに、前記検索結果を送信するステップと
を含む動作を実行させる、1つまたは複数のコンピュータ可読記憶媒体
を備えたシステム。
【請求項２】
前記検索結果の第1のサブセットが前記複数の範疇のうちの第1の範疇に属することが決定される、請求項1に記載のシステム。
【請求項３】
前記検索結果の第1の検索結果が前記複数の範疇のうちの2つ以上に属することが決定される、請求項1または2に記載のシステム。
【請求項４】
前記範疇に対応する検索結果を有する前記範疇の前記サブセットの各範疇を表示する前記命令が、その決定された範疇に関する範疇ヘッディングの下に、前記検索結果の各々を表示する命令を含む、請求項1または2に記載のシステム。
【請求項５】
前記1つまたは複数のコンピュータが、前記複数の範疇の第1の範疇に属することが決定された、前記検索結果の前記第1のサブセット内の前記検索結果をランキングするステップを含む動作をさらに実行する、請求項2に記載のシステム。
【請求項６】
前記範疇に対応する検索結果を有する前記範疇の前記サブセットの各範疇を表示する前記命令が、前記範疇をそれらのスコアに基づく順序で表示する命令を含む、請求項1または2または4に記載のシステム。
【請求項７】
前記検索結果の各々に関するランキングスコアを決定するステップをさらに含み、前記範疇の各々の前記スコアが前記範疇の各々の中でそれぞれ提供された前記検索結果の前記ランキングスコアに基づく、請求項6に記載のシステム。
【請求項８】
前記範疇が、検索結果のしきい値数を超える検索結果の数を含む、請求項1または2または4に記載のシステム。
【請求項９】
前記範疇が、前記検索結果と関連付けられたデータに基づいて決定される、請求項1または2または4に記載のシステム。
【請求項１０】
前記範疇が前記検索結果から抽出されたキーワードに基づいて決定される、請求項9に記載のシステム。
【請求項１１】
前記検索結果の各々に関する範疇を決定するステップが、前記受信されたクエリを提出したユーザによって行われる過去の動作に基づいて範疇を決定するステップを含み、前記過去の動作は前記受信されたクエリの提出前に生じる、請求項1または2または4に記載のシステム。
【請求項１２】
前記それぞれの範疇は前記それぞれの範疇における検索結果の数に基づいてスコア付けされる、請求項1または2または4または6に記載のシステム。
【請求項１３】
前記範疇に対応する検索結果を有する範疇の前記サブセットの各範疇を表示する前記命令が、前記少なくとも1つの範疇に関するユーザが選択可能なソートオプションによって範疇の前記サブセットの少なくとも1つの範疇を表示する命令を含み、前記ユーザが選択可能なソートオプションは、前記少なくとも1つの範疇における前記それぞれの検索結果の風景、距離、価格、地域または評価のうちの少なくとも1つに基づいて、前記少なくとも1つの範疇における検索結果をソートするためのユーザが選択可能なオプションを含む、請求項1または2または4または6に記載のシステム。
【請求項１４】
複数の範疇の中から前記検索結果の各々に関する範疇を決定するステップが、前記受信された検索クエリに類似の前の検索クエリに応答することが分かった文書に割り当てられている範疇を決定することを含む、請求項1または2または4または6に記載のシステム。
【請求項１５】
請求項1乃至14のいずれか1項における前記システムに含まれる前記動作を含むコンピュータ実装方法。
【手続補正書】
【提出日】平成27年12月25日(2015.12.25)
【手続補正１】
【補正対象書類名】特許請求の範囲
【補正対象項目名】全文
【補正方法】変更
【補正の内容】
【特許請求の範囲】
【請求項１】
複数のクライアントからのデータを記憶しているストレージシステム内のボリュームのうちの、前記複数のクライアントの第１のクライアントのクライアントメトリクスを決定することと、
前記複数のクライアントによる前記ストレージシステムの使用状況に基づいて、前記ストレージシステム内のクラスタのシステムメトリクスを決定することと、
前記システムメトリクスおよび前記クライアントメトリクスに基づいて前記ストレージシステムの負荷値を決定することと、
前記負荷値が所定の閾値を上回っていると判定することと、
プロセッサを使用して、前記負荷値、最小サービス品質値、および最大サービス品質値に基づいて目標性能値を計算することと、
前記目標性能値と前記負荷値が前記所定の閾値を上回っていると判定することとに基づいて、前記クライアントに対する前記ストレージシステムの性能を調整することと、
を備える方法。
【請求項２】
前記負荷値は、前記第１のクライアントに関連付けられた２つ以上の負荷値に基づいて決定される、請求項１に記載の方法。
【請求項３】
前記負荷値は、前記ストレージシステム内の２つの異なるサーバに関連付けられた書き込みレイテンシー負荷値の最大値であり、前記２つの異なるサーバは、いずれも前記第１のクライアントに関連付けられている、請求項２に記載の方法。
【請求項４】
前記クライアントメトリクスに基づいてクライアント固有係数を決定することをさらに備え、前記目標性能値は、前記クライアント固有係数に基づく、請求項１に記載の方法。
【請求項５】
前記負荷値に関連付けられた１つ以上のクライアントメトリクスを決定することをさらに備え、前記クライアント固有係数は、前記負荷値に関連付けられた前記１つ以上のクライアントメトリクスに基づく、請求項４に記載の方法。
【請求項６】
前記負荷値は、サービスの読み出しレイテンシーまたは書き込みレイテンシーのうちの一方に基づく、請求項５に記載の方法。
【請求項７】
前記１つ以上のクライアントメトリクスは、前記第１のクライアントに関連付けられた読み出し動作の回数および書き込み動作の回数のうちの一方を備える、請求項６に記載の方法。
【請求項８】
前記クライアント固有係数は、前記クラスタの読み出し動作の合計回数または書き込み動作の合計回数で割った前記第１のクライアントに関連付けられた前記読み出し動作の回数または前記書き込み動作の回数の比率として計算される、請求項７に記載の方法。
【請求項９】
クラスタ削減値を決定することをさらに備え、前記目標性能値は、前記クラスタ削減値に前記クライアント固有係数を乗じることに基づく、請求項８に記載の方法。
【請求項１０】
複数の種別から前記クライアントの種別を決定することをさらに備え、前記クライアント固有係数は、前記クライアントの前記種別に基づく、請求項４に記載の方法。
【請求項１１】
前記クライアントの前記種別に部分的に基づいてクライアントに料金を請求することをさらに備える、請求項１０に記載の方法。
【請求項１２】
前記データは、前記ストレージシステムの全体に無作為かつ均一に分散される、請求項１に記載の方法。
【請求項１３】
前記データは、前記データの内容に基づいて前記ストレージシステムの全体に無作為かつ均一に分散される、請求項１２に記載の方法。
【請求項１４】
前記ストレージシステムに関連付けられた入力／出力動作の入力／出力データサイズに基づく１つ以上のシステムメトリクスを性能曲線に基づいて正規化することと、
前記第１のクライアントに関連付けられた入力／出力動作の入力／出力データサイズに基づく１つ以上のクライアントメトリクスを前記性能曲線に基づいて正規化することと、
をさらに備える、請求項１に記載の方法。
【請求項１５】
コンピューティングデバイスによって実行されたときに前記コンピューティングデバイスに動作を実行させる命令が記憶されている非一時的コンピュータ可読媒体であって、前記動作は、
複数のクライアントからのデータを記憶しているストレージシステム内のボリュームのうちの、前記複数のクライアントの第１のクライアントのクライアントメトリクスを決定することと、
前記複数のクライアントによる前記ストレージシステムの使用状況に基づいて、前記ストレージシステム内のクラスタのシステムメトリクスを決定することと、
前記システムメトリクスおよび前記クライアントメトリクスに基づいて前記ストレージシステムの負荷値を決定することと、
前記負荷値が所定の閾値を上回っていると判定することと、
前記負荷値、最小サービス品質値、および最大サービス品質値に基づいて目標性能値を計算することと、
前記目標性能値と前記負荷値が前記所定の閾値を上回っていると判定することとに基づいて、前記クライアントに対する前記ストレージシステムの性能を調整することと、
を備える、非一時的コンピュータ可読媒体。
【請求項１６】
前記負荷値は、前記第１のクライアントに関連付けられた２つ以上の負荷値に基づいて決定される、請求項１５に記載の非一時的コンピュータ可読媒体。
【請求項１７】
前記負荷値は、２つの異なるサーバに関連付けられた書き込みレイテンシー負荷値の最大値であり、前記２つの異なるサーバは、いずれも前記第１のクライアントに関連付けられている、請求項１６に記載の非一時的コンピュータ可読媒体。
【請求項１８】
前記動作は、前記クライアントメトリクスに基づいてクライアント固有係数を決定することをさらに備え、前記目標性能値は、前記クライアント固有係数に基づく、請求項１５に記載の非一時的コンピュータ可読媒体。
【請求項１９】
前記動作は、前記負荷値に関連付けられた１つ以上のクライアントメトリクスを決定することをさらに備え、前記クライアント固有係数は、前記負荷値に関連付けられた前記１つ以上のクライアントメトリクスに基づく、請求項１８に記載の非一時的コンピュータ可読媒体。
【請求項２０】
前記負荷値は、サービスの読み出しレイテンシーまたは書き込みレイテンシーのうちの一方に基づく、請求項１９に記載の非一時的コンピュータ可読媒体。
【手続補正書】
【提出日】平成27年11月24日(2015.11.24)
【手続補正１】
【補正対象書類名】特許請求の範囲
【補正対象項目名】全文
【補正方法】変更
【補正の内容】
【特許請求の範囲】
【請求項１】
コンピューティング環境において、少なくとも１つのプロセッサ上で少なくとも部分的に実行される方法であって、
１又は複数のエンティティとコンピュータ化された装置コンポーネントとの間の対話を可能にするセンサフュージョンインタフェースを介して受信された要求を処理するステップであり、
複数のセンサモジュールに結合された共有ライブラリにアクセスするステップであり、前記共有ライブラリは１又は複数のエンティティに関連付けられた複数センサ入力データを含む、ステップと、
前記共有ライブラリからエンティティ状態データを抽出するステップと、
前記コンピュータ化された装置コンポーネントに前記エンティティ状態データへのアクセスを提供するステップと、
を含む、ステップ
を含む方法。
【請求項２】
前記コンピュータ化された装置コンポーネントに前記エンティティ状態データへのアクセスを提供するステップは、エンティティ姿勢における変化に対応するイベントを伝達するステップをさらに含む、請求項１に記載の方法。
【請求項３】
前記コンピュータ化された装置コンポーネントに前記エンティティ状態データへのアクセスを提供するステップは、前記１又は複数のエンティティから前記コンピュータ化された装置コンポーネントのための１又は複数のコマンドを伝達するステップをさらに含む、請求項１に記載の方法。
【請求項４】
前記コンピュータ化された装置コンポーネントに前記エンティティ状態データへのアクセスを提供するステップは、種々の時点に対応するエンティティ状態データに基づいて制御データを生成するステップをさらに含む、請求項１に記載の方法。
【請求項５】
前記エンティティ状態データを抽出するステップは、前記１又は複数のエンティティにより操作されている装置の位置及び向きを決定するステップをさらに含む、請求項１に記載の方法。
【請求項６】
前記エンティティ状態データを抽出するステップは、前記複数センサ入力データ内の不要な摂動を取り除くステップをさらに含む、請求項１に記載の方法。
【請求項７】
前記共有ライブラリにアクセスするステップは、前記複数センサ入力データを精緻化するように前記複数のセンサモジュールを設定するステップをさらに含む、請求項１に記載の方法。
【請求項８】
前記エンティティ状態データを抽出するステップは、前記コンピュータ化された装置コンポーネントのためのコマンドに変換される記号的活動を定義するステップをさらに含む、請求項１に記載の方法。
【請求項９】
エンティティの動きに応答して前記エンティティ状態データを更新するステップ、をさらに含む請求項１に記載の方法。
【請求項１０】
前記エンティティ状態データを抽出するステップは、前記１又は複数のエンティティに関連付けられた環境モデルを作成するステップをさらに含む、請求項１に記載の方法。
【請求項１１】
前記エンティティ状態データを抽出するステップは、第１のエンティティに関連付けられたエンティティ状態データの第１の部分と第２のエンティティに関連付けられたエンティティ状態データの第２の部分とを抽出するステップと、前記第１の部分を前記第２の部分と相互に関連付けてエンティティ対話を決定するステップとをさらに含む、請求項１に記載の方法。
【請求項１２】
コンピューティング環境において、コンピュータ化された装置コンポーネントにセンサフュージョンインタフェースを提供するように構成された対話メカニズムを含み、環境内の各エンティティについて、前記センサフュージョンインタフェースは、エンティティ状態データを含むプロファイルを生成し、前記コンピュータ化された装置コンポーネントに前記プロファイルを公開し、エンティティ活動に応答して前記プロファイルを更新するように共通知識データコンポーネントに指示するように構成され、前記共通知識データコンポーネントは、スキーマに従って複数のセンサモジュールからの複数センサ入力データを統合し、前記複数センサ入力データに基づいて前記エンティティ活動を識別するように構成される、システム。
【請求項１３】
前記対話メカニズムは、
前記エンティティ活動に基づいて、物理的環境内のコンピュータ化された装置を操作すること、
前記コンピュータ化された装置コンポーネントにより生成された仮想の環境における仮想のキャラクタを制御すること、
前記コンピュータ化された装置コンポーネントに応答して前記複数のセンサモジュールを初期化すること、
複数のエンティティ間における衝突を識別すること、及び
エンティティの動きが装置の範囲から出たことを示すイベントを公開すること
のうち少なくとも１つを実行するようにさらに構成される、請求項１２に記載のシステム。
【請求項１４】
前記複数のセンサモジュールは、カメラ、マイクロフォン、デジタイザ、モーションプロセッサ、ゲーム用コントローラ、発話認識モジュール、ジェスチャ認識モジュール、顔認識モジュール、携帯電話若しくはポインティング装置、又はカメラ、マイクロフォン、デジタイザ、モーションプロセッサ、ゲーム用コントローラ、発話認識モジュール、ジェスチャ認識モジュール、顔認識モジュール、携帯電話若しくはポインティング装置のうち任意の組み合わせを含む、請求項１２に記載のシステム。
【請求項１５】
プロセッサに請求項１乃至１１のうちいずれか１項に記載の方法を実行させるコンピュータプログラム。
【誤訳訂正書】
【提出日】平成28年5月10日(2016.5.10)
【誤訳訂正１】
【訂正対象書類名】明細書
【訂正対象項目名】００４４
【訂正方法】変更
【訂正の内容】
【００４４】
好ましい実施の形態では、酸化状態が＋５のリン原子を少なくとも１個含む、少なくとも１種の化合物に酸化される、少なくとも１種の還元剤は、炭素を含まない（カーボンフリーである）。本発明に従えば、「カーボンフリー（炭素を含まない）」は、リン−含有還元剤中に炭素原子が存在しないことを意味する。Ｈ3ＰＯ3等のカーボンフリーの還元剤の有利な点は、熱水工程(hydrothermal process)で、せいぜい３００℃の低温で還元を行うことができることである。これに対し、例えば還元剤としての炭素は、６００℃以上の温度を必要とする。本発明に従う低温は、ナノ−結晶性材料を得ることを可能にする。ナノ−結晶性材料は、（例えば還元剤として炭素が使用される場合には、通常必要とされる）高温では集塊する傾向がある。